(57)【要約】      （修正有）【課題】框別体型換気装置と框一体型換気装置の基本構造に互換性を持たせる。【解決手段】上框別体型の換気装置９は、基本構造体１０とアタッチメント２０を備える。基本構造体１０は、ボデイ１１と開閉機構１７を有している。ボデイ１１は、障子の板体を呑み込んで支持する呑み込み部１２と、通気口１３ａが形成された室内側壁部１３と、室内側被連結部１８ａ，１８ｂと、室外側被連結部１８ｃとを有している。アタッチメント２０は、閉塞部２２と、この閉塞部２２から上方に突出して上框の凹溝部に挿入される挿入部２１とを有している。閉塞部２２は、開閉機構１７を覆うとともに換気通路１６を画成する通路形成壁部２２ｂを有している。アタッチメント２０は、その室内側連結部２５ａ，２５ｂと室外側連結部２５ｃをボデイ１１の室内側被連結部１８ａ、１８ｂと室外側被連結部１８ｃに連結する。基本構造体１０は上框一体型換気装置にも用いることができる。【選択図】図３
2015143419.tif 000002
【特許請求の範囲】
【請求項１】
障子の框に沿って取り付けられる框別体型の換気装置において、
（ア）型材からなるボデイと開閉機構を有する基本構造体と、
（イ）型材からなり上記基本構造体のボデイに組み付けられるアタッチメントと
を備え、
上記基本構造体の上記ボデイは、障子の板体を呑み込んで支持する呑み込み部と、通気口が形成された室内側壁部と、上記室内側壁部において上記通気口から見て上記嵌め込み部の反対側に設けられた室内側被連結部と、上記呑み込み部の室外側に設けられた室外側被連結部とを有し、
上記基本構造体の上記開閉機構は、上記室内側壁部の背面側に形成される空間部に配置され、
上記アタッチメントは、上記ボデイの上記室内側壁部の室外側に位置してこの室内側壁部と対向する閉塞部と、この閉塞部から上記ボデイの上記呑み込み部とは反対側に突出して上記框の凹溝部に挿入される挿入部とを有し、
上記アタッチメントの上記閉塞部は上記空間部に臨む通路形成壁部を有し、この通路形成壁部は、上記開閉機構を覆うとともに、上記通気口に連なり上記開閉機構によって開閉される換気通路を画成し、
上記アタッチメントの上記閉塞部及び／又は上記挿入部には室内側連結部が形成され、上記閉塞部には室外側連結部が形成され、これら室内側連結部および室外側連結部が上記ボデイの上記室内側被連結部および上記室外側被連結部にそれぞれ連結されることにより、上記アタッチメントが上記基本構造体に組み付けられることを特徴とする框別体型換気装置。
【請求項２】
上記ボデイはさらに、上記呑み込み部の室外側の部位から上記アタッチメントの閉塞部に向かって突出する室外側壁部を有し、
この室外側壁部は上記室内側壁部より低く、上記換気通路に連なる通気口を有するとともに、その先端縁部に上記室外側被連結部を有することを特徴とする請求項１に記載の框別体型換気装置。
【請求項３】
上記アタッチメントは、上記閉塞部から上記ボデイの呑み込み部に向かって延びる室外側壁部を有し、
この室外側壁部は、上記換気通路に連なる通気口を有するとともに、その先端縁部に上記室外側連結部が形成されていることを特徴とする請求項１に記載の框別体型換気装置。
【請求項４】
アタッチメントが単一の型材により形成されていることを特徴とする請求項１〜３のいずれかに記載の框別体型換気装置。
【請求項５】
請求項１〜４のいずれかに記載の框別体型の基本構造体と、この基本構造体に組み付けられるレール呑み込み部材とを備えた框一体型の換気装置であって、
上記レール呑み込み部材は、単独でまたは上記ボデイの室内側壁部と協働して窓枠のレールが入り込む凹溝部を画成し、この凹溝部を画成する壁部の一部が、上記開閉機構を覆うとともに、上記通気口に連なり上記開閉機構によって開閉される換気通路を画成し、
上記レール呑み込み部材は室内側連結部と室外側連結部を有し、これら室内側連結部、室外側連結部が上記ボデイの室内側被連結部、室外側被連結部にそれぞれ連結されることにより、上記レール呑み込み部材が上記基本構造体に組み付けられることを特徴とする框一体型換気装置。
【請求項６】
障子の下部に設置される框一体型換気装置であって、上記レール呑み込み部材に、窓枠の下側のレールに乗る戸車が回転可能に支持されていることを特徴とする請求項５に記載の框一体型換気装置。
【請求項７】
請求項１〜４のいずれかに記載の框別体型換気装置と請求項５または６に記載の框一体型換気装置とを備えた２段式換気装置であって、上記框一体型換気装置の基本構造体の呑み込み部に、上記障子の板体の代わりに、上記框別体型換気装置のアタッチメントの挿入部が挿入されることを特徴とする２段式換気装置。
【発明の詳細な説明】
【技術分野】
【０００１】
本発明は、基本構造体が框一体型換気装置にも転用できる框別体型換気装置、およびこの基本構造体を用いた框一体型換気装置に関する。
【背景技術】
【０００２】
換気装置を組み込んだ窓障子は公知である。窓障子の上部に設置される換気装置を例にとって説明すると、大別して、框別体型の換気装置と框一体型の換気装置がある。上框別体型換気装置は上框と別体をなして上框に沿って設置される。上框一体型の換気装置は、換気装置自体が上框の役割を担う。
【０００３】
上框別体型の換気装置は、特許文献１に示すように、下側に窓障子のガラス板（板体）を呑み込んで支持するための呑み込み部を有し、上側に窓障子の上框の凹溝部に挿入され挿入部を有している。
上框一体型の換気装置は、特許文献２に示すように、下側に窓障子のガラス板を呑み込んで支持するための呑み込み部を有し、上側に窓枠の上レールを呑み込んで支持するための凹溝部とを有している。
【先行技術文献】
【特許文献】
【０００４】
【特許文献１】特開２０１２−２２００４９号公報
【特許文献２】特開２００８−１６４１９９号公報
【発明の概要】
【発明が解決しようとする課題】
【０００５】
上述のように上框別体型換気装置と上框一体型の換気装置は、全く異なる構造を有しており、そのためこれらを構成する部品は別途製造され、保管され、必要に応じて組み立てられる。
そのため、両型の換気装置を製造販売する場合、製造コスト、保管コストが嵩む欠点があった。
【課題を解決するための手段】
【０００６】
本発明は、上記課題を解決したもので、障子の框に沿って取り付けられる框別体型の換気装置において、
（ア）型材からなるボデイと開閉機構を有する基本構造体と、
（イ）型材からなり上記基本構造体のボデイに組み付けられるアタッチメントと
を備え、
上記基本構造体の上記ボデイは、障子の板体を呑み込んで支持する呑み込み部と、通気口が形成された室内側壁部と、上記室内側壁部において上記通気口から見て上記嵌め込み部の反対側に設けられた室内側被連結部と、上記呑み込み部の室外側に設けられた室外側被連結部とを有し、
上記基本構造体の上記開閉機構は、上記室内側壁部の背面側に形成される空間部に配置され、
上記アタッチメントは、上記ボデイの上記室内側壁部の室外側に位置してこの室内側壁部と対向する閉塞部と、この閉塞部から上記ボデイの上記呑み込み部とは反対側に突出して上記框の凹溝部に挿入される挿入部とを有し、
上記アタッチメントの上記閉塞部は上記空間部に臨む通路形成壁部を有し、この通路形成壁部は、上記開閉機構を覆うとともに、上記通気口に連なり上記開閉機構によって開閉される換気通路を画成し、
上記アタッチメントの上記閉塞部及び／又は上記挿入部には室内側連結部が形成され、上記閉塞部には室外側連結部が形成され、これら室内側連結部および室外側連結部が上記ボデイの上記室内側被連結部および上記室外側被連結部にそれぞれ連結されることにより、上記アタッチメントが上記基本構造体に組み付けられることを特徴とする。
【０００７】
上記構成によれば、框別体型換気装置は、基本構造体とアタッチメントに分けられ、アタッチメントを介して框に取り付けられる。この基本構造体に、アタッチメントの代わりにレール呑み込み部材を取り付ければ框一体型換気装置が得られる。このように基本構造体を共通化できるので、部品の製造コスト、保管コストを低減することができる。また、框別体型換気装置と框一体型換気装置の長さが等しい場合には、基本構造体を組み立てた状態で共通化することができるので、一層コスト低減を図ることができる。
上記框別体型換気装置では、アタッチメントの閉塞部が基本構造体のボデイの室内側壁部に対向配置されているので、アタッチメントを組み付けても換気装置の幅（見付け）の増大を回避することができる。
上記框別体型換気装置では、アタッチメントの閉塞部の通気形成壁部が換気通路を画成するため、断面形状を簡略化でき、しかもアタッチメントを取り外せば開閉機構を露出させることができるので、メンテナンスも容易である。
【０００８】
一態様では、上記ボデイはさらに、上記呑み込み部の室外側の部位から上記アタッチメントの閉塞部に向かって突出する室外側壁部を有し、この室外側壁部は上記室内側壁部より低く、上記換気通路に連なる通気口を有するとともに、その先端縁部に上記室外側被連結部を有する。
この構成によれば、換気通路の室外側をボデイの室内側壁部で覆い、この壁部に形成された通気口を介して換気通路と室外とを連通させるため、換気通路への大きな塵埃の辛酉を回避することができる。
また、通気口を有する室外側壁部が基本構造体に設けられているので、アタッチメントに通気口を形成せずに済む。そのため、基本構造体を予め組み立てておけば、アタッチメントを型材のまま組み付けることにより、迅速に需要に応えることができる。
【０００９】
他の態様では、上記アタッチメントは、上記閉塞部から上記ボデイの呑み込み部に向かって延びる室外側壁部を有し、この室外側壁部は、上記換気通路に連なる通気口を有するとともに、その先端縁部に上記室外側連結部が形成されている。
この構成によれば、換気通路の室外側をボデイの室内側壁部で覆い、この壁部に形成された通気口を介して換気通路と室外とを連通させるため、換気通路への大きな塵埃の辛酉を回避することができる。
また、通気口を有する室外側壁部がアタッチメントに設けられているので、基本構造体の断面形状を簡略化できる。
【００１０】
好ましくは、アタッチメントが単一の型材により形成されている。
この構成によれば、アタッチメントの製造、保管コストを低減できる。
【００１１】
本発明は、上記框別体型の基本構造体と、この基本構造体に組み付けられるレール呑み込み部材とを備えた框一体型の換気装置も提供する。この換気装置では、上記レール呑み込み部材は、単独でまたは上記ボデイの室内側壁部と協働して窓枠のレールが入り込む凹溝部を画成し、この凹溝部を画成する壁部の一部が、上記開閉機構を覆うとともに、上記通気口に連なり上記開閉機構によって開閉される換気通路を画成し、
上記レール呑み込み部材は室内側連結部と室外側連結部を有し、これら室内側連結部、室外側連結部が上記ボデイの室内側被連結部、室外側被連結部にそれぞれ連結されることにより、上記レール呑み込み部材が上記基本構造体に組み付けられる。
【００１２】
下框一体型換気装置に適用する場合には、上記レール呑み込み部材に、窓枠の下側のレールに乗る戸車が回転可能に支持されている。
【００１３】
本発明は、上記框別体型換気装置と上記框一体型換気装置とを備えた２段式換気装置を提供することもできる。この場合、上記框一体型換気装置の基本構造体の呑み込み部に、上記障子の板体の代わりに、上記框別体型換気装置のアタッチメントの挿入部が挿入される。
この構成によれば、換気面積を増大させることができる。
【発明の効果】
【００１４】
本発明によれば、框別体型換気装置の基本構造体を框一体型換気装置と共有化できるようにしたので、製造コスト、保管コストを大幅に低減することができる。
【図面の簡単な説明】
【００１５】
【図１】本発明の第１実施形態をなす上框別体型の換気装置を設置した窓障子の正面図である。
【図２】同第１実施形態の上框別体型換気装置を上框に組み込んだ状態で示す要部拡大縦断面図である。
【図３】同第１実施形態の上框別体型換気装置と上框を分解して示す要部拡大縦断面図である。
【図４】同第１実施形態の上框別体型換気装置の縦框への連結状態を示す要部拡大平断面図である。
【図５】同第１実施形態の上框別体型換気装置の基本構造体を含む上框一体型換気装置を設置した窓障子の正面図である。
【図６】同上框一体型換気装置を、組立てた状態および分解した状態で示す要部拡大縦断面である。
【図７】同上框一体型換気装置の縦框への連結状態を示す要部拡大平断面図である。
【図８】同第１実施形態の上框別体型換気装置と上框一体型換気装置からなる２段式換気装置を、組立てた状態および分解した状態で示す要部拡大縦断面である。
【図９】同第１実施形態の上框別体型換気装置と同構造の換気装置を縦框別体型換気装置として設置した窓障子の正面図である。
【図１０】同縦框別体型換気装置と縦框を分解して示す要部拡大平断面図である。
【図１１】本発明の第２実施形態をなす換気装置を示す拡大断面図であり、（Ａ）は基本構造体、（Ｂ）はこの基本構造体を用いた上框別体型の換気装置、（Ｃ）はこの基本構造体を用いた上框一体型の換気装置をそれぞれ示す。
【図１２】本発明の第３実施形態をなす換気装置を示す拡大断面図であり、（Ａ）は基本構造体、（Ｂ）はこの基本構造体を用いた上框別体型の換気装置、（Ｃ）はこの基本構造体を用いた上框一体型の換気装置をそれぞれ示す。
【図１３】本発明の第４実施形態をなす換気装置を示す拡大断面図であり、（Ａ）は基本構造体、（Ｂ）はこの基本構造体を用いた上框別体型の換気装置、（Ｃ）はこの基本構造体を用いた上框一体型の換気装置をそれぞれ示す。
【図１４】本発明の第５実施形態をなす下框別体型の換気装置を設置した窓障子の正面図である。
【図１５】同第５実施形態の下框別体型換気装置を、下框に組み込んだ状態および分解した状態で示す要部拡大縦断面図である。
【図１６】同第５実施形態の下框別体型換気装置の基本構造体を含む下框一体型換気装置を設置した窓障子の正面図である。
【図１７】同下框一体型換気装置を、組立てた状態および分解した状態で示す要部拡大縦断面図である。
【図１８】同第５実施形態の下框別体型換気装置と下框一体型換気装置からなる２段式換気装置を、組立てた状態および分解した状態で示す要部拡大縦断面図である。
【発明を実施するための形態】
【００１６】
以下、本発明の第１実施形態をなす上框別体型換気装置を、図1〜図４を参照しながら説明する。図１は窓枠１と２枚の窓障子２，３（障子）を示す。
窓枠１は、上枠１ａと、下枠１ｂと、左右一対の縦枠１ｃとを有しており、この窓枠１の開口を上記２枚の窓障子２，３が引き違い式にスライドして、開閉するようになっている。
【００１７】
上記窓障子２、３の各々は、上框４と下框５と左右一対の縦框６とガラス板７（板体）とを有している。これら框４〜６は１つまたは複数の型材からなる。
上記窓障子２、３の下框５には戸車（図示しない）が設けられており、この戸車が窓枠１の下枠１ｂのレール（図示しない）上を走行するようになっている。
【００１８】
図２に示すように、窓障子２，３の上框４の上縁部および下縁部には長手方向に延びる凹溝部４ａ，４ｂが形成されている。上側の凹溝部４ａに窓枠１の上枠１ａのレール１ｘが入り込むことにより、窓障子２，３がスライド可能に保持されている。
【００１９】
一方の窓障子２では、上框４の下側の凹溝部４ｂにガラス板７の上縁部が嵌め込まれて支持されている。同様に、下框５にも凹溝部（図示しない）が形成され、縦框６にも凹溝部６ｂ（図４参照）が形成され、これら凹溝部にガラス板７の下縁部、左右縁部がそれぞれ嵌め込まれて支持されている。
【００２０】
他方の窓障子３には、上框別体型の換気装置９（框別体型の換気装置）が設けられている。この換気装置９は上框４と略等しい長さを有して上框４に沿って水平に延びている。この窓障子３では、後述するように上框４の下側の凹溝部４ｂに換気装置９の上縁部が嵌め込まれ、この換気装置９の下縁部にガラス板７の上縁部が嵌め込まれて支持されている。
【００２１】
図３に示すように、上記換気装置９は、基本構造体１０と、アタッチメント２０とを備えている。
上記基本構造体１０のボデイ１１は、樹脂からなる室内側の押出型材１１ａとアルミ合金からなる室外側の押出型材１１ｂを互いに組み付けることにより構成されている。
【００２２】
大まかに説明すると、上記ボデイ１１は、下縁部に形成された呑み込み部１２と、室内に臨む室内側壁部１３と室外に臨む室外側壁部１４とを有している。
本実施形態では呑み込み部１２は型材１１ａ，１１ｂの下縁部と、型材１１ｂの略水平をなす壁部とで構成され、略断面逆Ｕ字形をなしており、下方に開放された凹溝部１２ａを有している。この呑み込み部１２の凹溝部１２ａに、上記ガラス板７の上縁部が嵌め込まれて支持される。
【００２３】
上記室内側壁部１３は、型材１１ａ，１１ｂの起立壁により２重構造をなして構成されている。室外側壁部１４は型材１１ｂの起立壁により構成されており、室内側壁部１３より低い。
【００２４】
上記室内側壁部１３には多数の通気口１３ａが長手方向に並んで形成されており、室外側壁部１４にも多数の通気口１４ａが長手方向に並んで形成されている。室内側壁部１３には、その通気口１３ａを覆うフィルタ１５が着脱可能に取り付けられている。
【００２５】
上記ボデイ１１は、室内側壁部１３の背面側かつ呑み込み部１２の上方において空間部１６’を有している。この空間部１６’の一部は、後述する換気通路１６として提供される。この換気通路１６は、通気口１３ａ、１４ａを介して室内および室外に連なる。理解を助けるために、図２、図３において室内、室外間の空気の流れを矢印で示す。
【００２６】
上記基本構造体１０はさらに、上記空間部１６’に配置された開閉機構１７を備えている。この開閉機構１７は、上記室外側壁部１４に沿って長手方向にスライド可能な開閉板１７ａと、室内側壁部１３の長手方向の一端部に長手方向にスライド可能に設けられた操作部材（図示しない）と、この操作部材と開閉板１７ａを連結する連結部材１７ｂとを有している。
上記開閉板１７ａは上記室外側壁部１４の通気口１４ａと同ピッチで多数の通気口１７ｘを有しており、上記操作部材の左右方向の操作により、通気口１３ａ，１７ｘが一致した開き位置と、一致しない閉じ位置とを選択するようになっている。
【００２７】
上記ボデイ１１は、室内側被連結部１８ａ，１８ｂと室外側被連結部１８ｃを有している。
上記室内側被連結部１８ａ，１８ｂは、室内側壁部１３の通気口１３ａの上方に形成されている。最も室内寄りに位置する一方の室内側被連結部１８ａは、型材１１ａの奥行方向に幅広をなす上縁部の上面に形成されている。他方の室内側連結部１８ｂは型材１１ｂの上縁部に形成され、連結部１８ａより低い位置にある。
上記室外側被連結部１８ｃは室外側壁部１４の上縁部（先端縁部）に形成され、上記室内側被連結部１８ａ、１８ｂより低い位置にある。
【００２８】
上記室内側壁部１３の上縁部、より具体的には型材１１ａの上縁部の室外側の面には、シール舌片１９が固定されている。このシール舌片１９は上框別体型の換気装置９においては何の役割も持たない。
【００２９】
上記基本構造体１０において、アタッチメント２０を組み付ける前の状態では、空間部１６’が開閉機構１７を外部に露出するようにして開放されている。
【００３０】
次に、上記アタッチメント２０について説明する。このアタッチメント２０は、単一の押出型材からなり、挿入部２１と閉塞部２２とを有している。挿入部２１は水平壁部２１ａと、この水平壁部２１ａから上方に突出して室内外方向に対向する一対の挿入壁部２１ｂとを有している。閉塞部２２は、上記水平壁部２１ａの室外側の縁から下方に垂下する室外側壁部２２ａと、この室外側壁部２２ａの下端と上記水平壁部２１ａの中間部とを連ねる通路形成壁部２２ｂとを有している。
【００３１】
上記アタッチメント２０は、室内側連結部２５ａ，２５ｂと室外側連結部２５ｃを有している。最も室内寄りに位置する一方の室内側連結部２５ａは、上記水平壁部２１ａの室内側端部の下面に形成されている。他方の室内側連結部２５ｂは通路形成壁部２２ｂの起立部の中間に形成されており、上記一方の室内側連結部２５ａより低い位置にある。室外側連結部２５ｃは、室外側壁部２２ａの下端縁に形成され、上記室内側連結部２５ａ、２５ｂより低い位置にある。
【００３２】
図３に示すように、上記アタッチメント２０は、上記基本構造体１０に長手方向から差し込んで基本構造体１０に組み付けられる。この際、基本構造体１０のボデイ１１の被連結部１８ａ，１８ｂ、１８ｃに、アタッチメント２０の連結部２５ａ，２５ｂ，２５ｃがそれぞれ嵌合して連結される。
【００３３】
上記アタッチメント２０の基本構造体１０への組み付け状態において、アタッチメント２０の閉塞部２２は基本構造体１０のボデイ１１の室内側壁部１３の室外側においてこの室内側壁部１３に対向して配置されるため、換気装置９の縦幅（見付け）の増大を回避できる。その結果、良好な採光性を確保できる。
上記アタッチメント２０の挿入部２１の水平壁部２１ａが基本構造体１０の室内側壁部１３の上端面に乗り、挿入壁部２１ｂが基本構造体１０から上方に突出する。
【００３４】
上記基本構造体１０の開閉機構１７がアタッチメント２０の通路形成壁部２２ｂで覆われる。また、上記空間部１６’の一部が通路形成壁部２２ｂで囲われて換気通路１６となる。
基本構造体１０の室外側壁部１４とアタッチメント２０の室外側壁部２２ａは、面一をなしている。
【００３５】
図４に示すように、アタッチメント２０と基本構造体１０のボデイ１１の長手方向両端にはキャップ３０が固定されることにより、換気装置９が完成する。
【００３６】
上記換気装置９は、図３に示すように窓障子３の上框４の凹溝部４ｂにアタッチメント２０の挿入部２１を挿入することにより、上框４に組み付けられる。換気装置９の呑み込み部１２の凹溝部１２ａにはガラス板７の上縁部が嵌り込んで支持される。また、換気装置９のキャップ３０の一対のリブ３１が縦框６の凹溝部６ｂに挿入される。
【００３７】
上述した上框別体型換気装置９の基本構造体１０は、図５〜図７に示す上框一体型の換気装置９Ａに用いることができる。この換気装置９Ａは、図６に示すように、上記基本構造体１０にレール呑み込み部材４０を組み付けることにより構成される。
【００３８】
上記レール呑み込み部材４０は、底壁部４１と互いに対向する室内側壁部４２と室外側壁部４３と有している。
上記室内側壁部４２の上端縁部には室内側連結部４５ｂが形成され、室外側壁部４３の下端縁部には室外側連結部４５ｃが形成されている。
さらに室外側壁部４３の上端縁部にはシール舌片４６が取り付けられている。
【００３９】
図６に示すように、上記レール呑み込み部材４０は、上記基本構造体１０に長手方向から差し込んで基本構造体１０に組み付けられる。この際、基本構造体１０のボデイ１１の室内側被連結部１８ｂ、室外側被連結部１８ｃに、レール呑み込み部材４０の室内側連結部４５ｂ、室外側連結部４５ｃがそれぞれ嵌合して連結される。
【００４０】
上記レール呑み込み部材４０の上記基本構造体１０への組み付け状態において、レール呑み込み部材４０は上記ボデイ１１の室内側壁部１３の室外側においてこの室内側壁部１３に対向して配置されるため、換気装置９の縦幅（見付け）の増大を回避できる。
上記レール呑み込み部材４０は、基本構造体１０の室内側壁部１３より上方に突出しない。
【００４１】
上記レール呑み込み部材４０の底壁４１および室内側壁部４２により、上記基本構造体１０の開閉機構１７が覆われ、空間部１６’の一部が換気通路１６となる。
上記レール呑み込み部材４０の壁部４１，４２，４３およびボデイ１０の室内側壁部１３の上端部により凹溝部４４が形成されている。
基本構造体１０の室外側壁部１４とレール呑み込み部材４０の室外側壁部４３は、面一をなしている。
【００４２】
図７に示すように、上記換気装置９Ａの長手方向の両端部は縦框６の上端部において凹溝部６ｂに入り込んだ状態で固定されている。本実施形態では換気装置９Ａはキャップを備えていないが、両端部にキャップを取り付けてもよい。
【００４３】
上記上框一体型換気装置９Ａは、窓障子３の上框の役割を担う。詳述すると、図６に示すように、上框別体型換気装置９と同様に基本構造体１０の呑み込み部１２にはガラス板７の上縁部が嵌め込まれて支持される。
換気装置９Ａのレール呑み込み部材４０の凹溝部４４には上枠１ａのレール１ｘが入り込み、これにより窓障子３がスライド可能に支持される。
【００４４】
上記換気装置９Ａの凹溝部４４にレール１ｘが入り込んだ状態において、基本構造体１０の室内側壁部１３に取り付けられたシール舌片１９と、レール呑み込み部材４０の室外側壁部４３に取付られたシール舌片４６がレール１ｘに向かって延びているため、良好なシール性を確保することができる。
【００４５】
図８に示すように、上記上框一体型の換気装置９Ａと上框別体型の換気装置９とを用いて、２段式の換気装置を組み立てることができる。この場合、上框別体型換気装置９のアタッチメント２０の挿入部２１が、上框一体型換気装置９Ａの基本構造体１０の呑み込み部１２の凹溝部１２ａに挿入される。
【００４６】
図９、図１０に示すように、上記上框別体型の換気装置９の構成要素は、長さを調節するだけで、窓障子２，３の縦框６に沿って配置された縦框別体型の換気装置９Ｂに用いることができる。簡単に説明すると、換気装置９Ｂのアタッチメント２０の挿入部２１が縦框６の凹溝部６ｂに挿入され、換気装置９Ｂの基本構造体１０の呑み込み部１２の凹溝部１２ａにガラス板７の側縁部が嵌り込んで支持される。
【００４７】
次に、本発明の他の実施形態について図を参照しながら説明する。これら実施形態において、先行する実施形態に対応する構成部には同番号を付してその説明を省略する。
図１１は本発明の第２実施形態を示す。図１１（Ａ）に示すように、基本構造体５０は単一の型材からなるボデイ５１を備えている。このボデイ５１はガラス板を呑み込むための凹溝部５２ａを有する呑み込み部５２と、多数の通気口５３ａを形成してなる室内側壁部５３とを備えているが、第１実施形態のような室外側壁部を備えていない。室内側壁部５３の室外側の空間部５６’に開閉機構５７が配置されている。
【００４８】
上記開閉機構５７は、スイング式の開閉板５７ａと、室内側壁部５３の一端部に長手方向スライド可能に設けられた操作部材５７ｂと、カム部材５７ｃを有している。開閉板５７ａの上縁部に形成された軸部が、室内側壁部５３の上縁部に形成された軸受部５３ｂに収容されている。操作部材５７ｂは室外方向に突出して上記開閉板５７ａの係合穴に嵌っている。
【００４９】
上記開閉板５７ａの下縁の例えば２カ所には下方に突出する突起（図示しない）が形成されており、これら突起は２つのカム部材５７ｃの上面に形成された傾斜溝にそれぞれ挿入されている。
操作部材５７ｂをスライドさせると、開閉板５７ａは長手方向にスライドしながらカム部材５７ｃのカム作用により回動し、室内側壁部５３から離れて通気口５３ａを開いたり、室内側壁部５３に接近して通気口５３ａを閉じるようになっている。
【００５０】
上記ボデイ５１は室内側被連結部５８ａと室外側被連結部５８ｂを有している。室内側被連結部５８ａは、室内側壁部５３の上縁部において、上記軸受部５３ｂより室外側に形成されている。室外側被連結部５８ｂは、呑み込み部５２の室外側角部（室外側の垂下壁部と水平壁部との交差部）に形成されている。
【００５１】
図１１（Ｂ）に示すように、上記基本構造体５０に単一の型材からなるアタッチメント６０を組み付けることにより、上框別体型換気装置９Ｃが得られる。このアタッチメント６０は、第１実施形態と同様に挿入部６１と閉塞部６２とを有し、さらに多数の通気口６３ａを形成してなる室外側壁部６３を有している。
第１実施形態と同様に、上記挿入部６１は水平壁部６１ａと一対の挿入壁部６１ｂを有しており、上記閉塞部６２は室外側壁部６２ａと通路形成壁部６２ｂを有している。
【００５２】
上記アタッチメント６０は通路形成壁部６２ｂの上端部に室内側連結部６５ａを有し、室外側壁部６３の下端部に室外側連結部６５ｂを有している。これら室内側連結部６５ａ、室外側連結部６５ｂを基本構造体５０の室内側被連結部５８ａ、室外側被連結部５８ｂにそれぞれ連結することによりアタッチメント６０が基本構造体５０に組み付けられる。この状態で、通路形成壁部６２ｂにより開閉機構５７が覆われ換気通路５６が画成される。
上記上框別体型換気装置９Ｃにおいて、基本構造体５０の呑み込み部５２の凹溝部５２ａにガラス戸が嵌め込まれ、アタッチメント６０の挿入部６１が上框の凹溝部に挿入されることは第１実施形態と同様である。
【００５３】
図１１（Ｃ）に示すように、上記基本構造体５０にレール呑み込み部材７０を組み付けることにより、上框一体型換気装置９Ｄが得られる。
上記レール呑み込み部材７０は、底壁部７１と互いに対向する室内側壁部７２と室外側壁部７３と有し、これら壁部７１，７２，７３により凹溝部７４が形成されている。上記室外側壁部７３からは通気口７５ａを有する室外側壁部７５が面一をなして下方に延びている。
【００５４】
上記室内側壁部７２の上端部には室内側連結部７６ａが形成され、室外側壁部７４の下端部には室外側連結部７６ｂが形成されている。
さらに室外側壁部７２の上端部にはシール舌片７７が取り付けられている。
【００５５】
上記レール呑み込み部材７０の室内側連結部７６ａ，室外側連結部７６ｂを上記基本構造体５０の室内側被連結部５８ａ、室外側被連結部５８ｂに連結することにより、上框一体型換気装置９Ｄが得られる。
【００５６】
上記レール呑み込み部材７０の底壁７１および室内側壁部７２により、上記基本構造体１０の開閉機構５７が覆われ、換気通路５６が画成される。
上記基本構造体１０の呑み込み部５２の室外側の面とレール呑み込み部材７０の室外側壁部７５とは、面一をなしている。
【００５７】
図１２は本発明の第３実施形態を示す。図１２（Ａ）に示すように、この実施形態の基本構造体５０のボデイ５１が樹脂製の型材５１ａとアルミ合金製の型材５１ｂを組み付けて構成される点を除いて第２実施形態に似ているので、詳細な説明を省略する。基本構造体５０の２重壁構造をなす室内側壁部５３の上端部、具体的には型材５１ａの上端部の室外側の面にはシール舌片５９が設けられている。
【００５８】
図１２（Ｂ）に示すように、上記基本構造体５０に第２実施形態と同様のアタッチメント６０を組み付けることにより、上框別体型換気装置９Ｅが得られる。
図１２（Ｃ）に示すように、上記基本構造体５０に第２実施形態と同様のレール呑み込み部材７０を組み付けることにより、上框一体型換気装置９Ｆが得られる。
【００５９】
図１３は本発明の第４実施形態を示す。この実施形態の基本構造体５０では、図１３（Ａ）に示すように、ボデイ５１が２つのアルミ合金製の型材５１ｃ、５１ｄとこれらを連結する樹脂製の断熱部材５１ｅからなる。室内側被連結部５８ａが軸受部５３ｂの上方に配置されている。他の点は第２実施形態と似ているので、詳細な説明を省略する。
【００６０】
図１３（Ｂ）に示すように、上記基本構造体５０にアタッチメント６０を組み付けることにより、上框別体型の換気装置９Ｇが得られる。このアタッチメント６０は第２実施形態と同様であるので詳細な説明を省略する。
【００６１】
図１３（Ｃ）に示すように、上記基本構造体５０にレール呑み込み部材７０を組み付けることにより、上框一体型の換気装置９Ｈが得られる。このレール呑み込み部材７０は、室内側壁部７２と室外側壁部７３が同一高さを有し、その上端対向面にそれぞれシール舌片７７を取り付けている。他の点は第２、第３実施形態と同様であるから詳細な説明を省略する。
【００６２】
上記第２、第３、第４実施形態の框別体型換気装置９Ｃ，９Ｅ，９Ｇは、図４に示すと同様にして、縦框に沿って設けることもできる。また、これら実施形態の框別体型換気装置と一体型換気装置により２段式換気装置を構成することもできる。
【００６３】
次に、本発明の第５実施形態について、図１４〜図１８を参照しながら説明する。図１４、図１５は下框別体型の換気装置９Ｉを示す。この換気装置９Ｉは窓障子３の下框５の上縁部に連結されるとともに、下框５と略等しい長さを有して下框５に沿って水平に延びている。
【００６４】
下框５は、２つの型材を組み付けてなり、下縁部の凹溝部５ａは窓枠１の下枠１ｂのレール１ｙを収容し、上縁部の凹溝部５ｂは、本来であればガラス板７の下縁部を嵌め込んで支持するが、本実施形態では換気装置９Ｉを支持するようになっている。さらに下框５には下枠１ｂのレール１ｙに乗る戸車５ｃが回転可能に取り付けられている。
【００６５】
上記換気装置９Ｉの基本構造体１０は、第１実施形態の基本構造体１０を上下逆転させた構成であり、大きな差異はないので、詳細な説明を省略する。図１５では開閉機構１７の一部構成要素を省略して示す。
上記換気装置９Ｉのアタッチメント２０も第１実施形態のアタッチメント２０を上下逆転させた構成であり、大きな差異はないので、詳細な説明を省略する。
【００６６】
上記基本構造体１０にアタッチメント２０を組み付けてなる換気装置９Ｉの呑み込み部１２にガラス板７の下縁部を嵌め込んで支持し、換気装置９Ｉの挿入部２１を下框５の凹溝部５ｂに挿入することにより、換気装置９Ｉが下框５に設置される。
【００６７】
第５実施形態の下框別体型換気装置９Ｉの基本構造体１０は図１６、図１７に示す下框一体型換気装置９Ｊにも用いることができる。この換気装置９Ｊは、基本構造体１０とレール呑み込み部材８０により構成される。このレール呑み込み部材８０は、単一の型材からなり、水平壁部８１と室外側壁部８３を有している。水平壁８１の室内側の端部には室内側連結部８５ｂが形成され、水平壁部８１と室外側壁部８３の交差部には室外側連結部８５ｃが形成されている。水平壁部８１には戸車８６が回転可能に取り付けられている。
【００６８】
上記レール呑み込み部材８０の室内側連結部８５ｂ、室外側連結部８５ｃを基本構造体１０の室内側被連結部１８ｂ、室外側被連結部１８ｃにそれぞれ連結することにより、レール呑み込み部材８０が基本構造体１０に組み付けられ、下框一体型換気装置９Ｊが得られる。この換気装置９Ｊのレール呑み込み部材８０と、基本構造体１０の室内側壁部１３の下端部により、凹溝部８４が形成され、レール１ｙが収容される。また、レール呑み込み部材８０の戸車８６がレール１ｙに乗る。
【００６９】
図１８に示すように、上記下框一体型の換気装置９Ｊと下框別体型の換気装置９Ｉとを用いて、２段式の換気装置を組み立てることができる。この場合、下框別体型換気装置９Ｉのアタッチメント２０の挿入部２１が、下框一体型の換気装置９Ｇの基本構造体１０の呑み込み部１２の凹溝部１２ａに挿入される。
【００７０】
本発明は上記実施形態に制約されず、種々の形態を採用可能である。
【産業上の利用可能性】
【００７１】
本発明は、窓障子等の換気装置に適用できる。
【符号の説明】
【００７２】
３  窓障子（障子）
４  上框（框）
５  下框（框）
６  縦框（框）
７  ガラス板（板体）
９，９Ｂ，９Ｃ，９Ｅ，９Ｇ，９Ｉ  框別体型換気装置
９Ａ，９Ｄ，９Ｆ，９Ｈ，９Ｊ  框一体型の換気装置
１０，５０  基本構造体
１１，５１  ボデイ
１２，５２  呑み込み部
１２ａ，５２ａ  凹溝部
１３，５３  室内側壁部
１３ａ，５３ａ  通気口
１４  室外側壁部
１４ａ  通気口
１６，５６  換気通路
１６’，５６’  空間部
１７，５７  開閉機構
１８ａ，１８ｂ，５８ａ  室内側被連結部
１８ｃ，５８ｂ  室外側被連結部
２０、６０  アタッチメント
２１、６１  挿入部
２２、６２  閉塞部
２２ｂ、６２ｂ  通路形成壁部
２５ａ，２５ｂ，６５ａ  室内側連結部
２５ｃ，６５ｂ  室外側連結部
６３  室外側壁部
６３ａ  通気口
４０，７０，８０  レール呑み込み部材
４４，７４，８４  凹溝部
７５  室外側壁部
７５ａ  通気口
７６ａ，８５ｂ  室内側連結部
７６ｂ，８５ｃ  室外側連結部
８６  戸車
【図１】
2015143419.tif 000003
【図２】
2015143419.tif 000004
【図３】
2015143419.tif 000005
【図４】
2015143419.tif 000006
【図５】
2015143419.tif 000007
【図６】
2015143419.tif 000008
【図７】
2015143419.tif 000009
【図８】
2015143419.tif 000010
【図９】
2015143419.tif 000011
【図１０】
2015143419.tif 000012
【図１１】
2015143419.tif 000013
【図１２】
2015143419.tif 000014
【図１３】
2015143419.tif 000015
【図１４】
2015143419.tif 000016
【図１５】
2015143419.tif 000017
【図１６】
2015143419.tif 000018
【図１７】
2015143419.tif 000019
【図１８】
2015143419.tif 000020